(57)【要約】      （修正有）【課題】ゴルフボールライナー及びそのクランプを提供する。【解決手段】ゴルフボールライナー２及びそのクランプ１は、クランプを迅速に開き、ゴルフボールＧをライナー内に置き、使用の便利性を有する。クランプがライナーのピン接合部１５にピン接合し、弾性部材１４を有し、弾性部材を利用し、クランプにプレスを発生させ、内に掴まれたゴルフボールをライナーの内側面にしっかりと貼り付け、力を受けて回転、移動せず、使用者が描線し易くし、精度を失うことがない。また、各ゴルフボール上の基準照準線、球体の製造する接線または重心周線を精確に描くことができ、打球者が打球前にパラメータ準備判断し易くする。【選択図】図２
0003140519.tif 000002
【実用新案登録請求の範囲】
【請求項１】
その断面が孤形を呈するクランプ本体であって、
該クランプ本体の一端部に設けられる軸孔と、
該クランプ本体の一端部に設けられ、該軸孔に隣接する少なくとも１つの凸部と、
該クランプ本体のもう一端部に形成され、使用者にクランプを操作制御させる把手部と、
を含むクランプ本体と、
前記の弧形により定義され、クランプ本体中央に位置する押圧部と、
溝型本体と、ピン接合軸と、を含むピン接合部であって、該溝型本体が、開口、基台および少なくとも１つの辺壁を含み、空間を定義し、該辺壁は、対称なピン接合孔を含み、そのうち、該ピン接合軸を利用し、前記クランプ本体の一端の軸孔の該溝型本体ピン接合孔中に穿合し、ヒンジ状態を形成し、該ピン接合部の一側がゴルフボールライナーに連接するピン接合部と、
該溝型本体空間の底部に設けられる弾性部材と
を含み、そのうち、前記クランプ本体の凸部が該弾性部材を持ち上げ、該弾性部材の弾力が前記の凸部を持ち上げることを利用し、クランプを開く動作時、クランプのプレスを発生させることに用いるゴルフボールライナーのクランプ。
【請求項２】
前記クランプ本体の一端部が円弧形である請求項１記載のゴルフボールライナーのクランプ。
【請求項３】
前記弾性部材が近似Ｕ型の弾性片または弾性ゴム塊であり、該弾性部材の一側が高低差の連続を有する弧面を呈する請求項１記載のゴルフボールライナーのクランプ。
【請求項４】
その断面が孤形を呈するクランプ本体であって、
該クランプ本体の一端部に設けられる軸孔と、
該クランプ本体の一端部に設けられ、該軸孔に隣接する少なくとも１つの凸部と、
該クランプ本体のもう一端部に形成され、使用者にクランプを操作制御させる把手部と、
を含むクランプ本体と、
前記の弧形により定義され、クランプ本体中央に位置する押圧部と、
溝型本体と、ピン接合軸と、を含むピン接合部であって、該溝型本体が、開口、基台および少なくとも１つの辺壁を含み、空間を定義し、該辺壁は、対称なピン接合孔を含み、そのうち、該ピン接合軸を利用し、前記クランプ本体の一端の軸孔の該溝型本体ピン接合孔中に穿合し、ヒンジ状態を形成し、該ピン接合部の一側がゴルフボールライナーに連接するピン接合部と、
該溝型本体空間の底部に設けられる弾性部材と、
ゴルフボールライナーと、
を含み、そのうち、該クランプの接合部が該ゴルフボールライナーに結合し、前記クランプ本体の凸部が該弾性部材を持ち上げ、該弾性部材の弾力が前記の凸部を持ち上げることを利用し、クランプを開く動作時、クランプのプレスを発生させることに用いるゴルフボールライナー。
【請求項５】
前記ゴルフボールライナーは、
その内に中空円孔を有する環体ラインメモリと、  
該環体ラインメモリの一側上に跨る第１弧形ラインメモリと、
該第１弧形ラインメモリの中央箇所と連接する第２弧形ラインメモリであって、該第２孤形ラインメモリのもう一端が環体ラインメモリの一側と連接し、第１孤形ラインメモリと第２弧形ラインメモリを相互に垂直を呈するようにする第２弧形ラインメモリと、
第３弧形ラインメモリであって、一端が環体ラインメモリと連接し、もう一端が第１弧形ラインメモリ中央箇所に連接し、第３弧形ラインメモリが、第１弧形ラインメモリと相互に垂直関係を呈するようにし、第２弧形ラインメモリと直線関係を呈するようにする第３弧形ラインメモリと、
を含み、該第１弧形ラインメモリが、さらに、第１溝を含み、該第２孤形ラインメモリがさらに、第２溝を含み、該第３孤形ラインが、さらに、第３溝を含む請求項４記載のゴルフボールライナー。
【請求項６】
前記クランプ本体のピン接合部が該環体ラインメモリ一体に成型される請求項４記載のゴルフボールライナー。
【請求項７】
更に、第４弧形ラインメモリを結合し、該第４孤形ラインメモリの両端部が該環体ラインメモリの両側に結合し、中央と該第２弧形ラインメモリと垂直に結合する請求項５記載のゴルフボールライナー。
【請求項８】
前記クランプ本体または環体ラインメモリが更に、記号を含む請求項５または６または７記載のゴルフボールライナー。
【請求項９】
前記第１溝と第２溝が連通し、該第２溝が描く線分と第３溝が描く線分が直線関係である請求項５記載のゴルフボールライナー。
【請求項１０】
前記第２孤形ラインメモリ上に２つの対応する切り口を設け、且つ前記の切り口が第４孤形ラインメモリの交接箇所に位置する請求項７記載のゴルフボールライナー。
【考案の詳細な説明】
【技術分野】
【０００１】
本考案は、ゴルフボールライナーに関し、特に、迅速に球体を掴むことができるクランプを結合し、操作者が球体上に線を引き易くするゴルフボールライナー。
【背景技術】
【０００２】
ゴルフボールは、技術を試す運動であるが、その技術の鍵は、ボールを打つ時、球体がロッドにより瞬間的に打球される角度が、所定の方向になっているか否かにあり、僅かな差があれば、ボールの進行方向は、それてしまい、予定の落下点と差が生じるので、球の構造、打球点の位置、角度、方法に対して、毎回の打球がいずれも完璧を追求する必要があり、科学的方式で各種のボールを打つパラメータを計算し、精密で洗練されたゴルフボール技術を学ぶことができる。
【０００３】
従来のゴルフボールライナー、中華民国専利公告第Ｍ２７２５６３号「ゴルフボール記号ライナー」は、この種のゴルフボールライナーの欠点は、その上蓋と球形底台がゴルフボールの外側をほぼ完全に遮蔽してしまい、使用者が包まれたゴルフボールを容易に目視できないので、線を描く時、球体の適切なブロックを選択できず、しばしば、球体表面に描くパターンが軸線をぼやけさせ、操作上、相当困難であり、多くの時間を浪費する。更に、該考案は、上蓋と該底台のピン接合箇所にバネを利用してフック部材に合わせて開閉の動作を制御し、製造または使用の方面を問わず、いずれも複雑な工程を有し、また、その蓋を合わせた後、ゴルフボールは、外力を受けて、回転し、描く線分が湾曲し、描く動作を完成することが困難である。
【０００４】
また、中華民国専利公開第２００７２７９４６号のゴルフボールライナーのように、ゴルフボール上に周線を描き、複数の線分の球体上の応用を考慮できず、更に、該ライナーの収容孔はゴルフボールに対して定位の作用を発生せず、使用者が成分を描く時に容易に球体が移動し、描いている最中の線分が繋がることができなくなる。
【特許文献１】中華民国専利公告第Ｍ２７２５６３号明細書
【特許文献２】中華民国専利公開第２００７２７９４６号明細書
【考案の開示】
【考案が解決しようとする課題】
【０００５】
また、米国第１１／７４２，８０５号「ゴルフボールライナー」は、ゴルフボール表面に多数の周線を描くライナーである。該案は、本考案者が以前に出願したものであるが、考案者は、締結構造の実際の操作において、依然として改善の余地があると考慮し、特に、締結構造部と貫通孔の組み合わせは、該締結構造部と該貫通孔とを分離する時、まず、該締結構造部を押圧する必要があり、最大幅を該貫通孔の幅よりも小さくした後、該締結構造部から取り出し、該締結構造を開けることができ、または、反対のステップで原位に固定し、この種の方式は、該締結構造部を反復して押圧する必要があり、操作が段階的な障害を有し、比較的円滑ではなく、多くの時間を消費し、従って、締結構造部が該貫通孔に相対して緩む問題が発生し易くなっている。打球が緩慢であり、重心がゴルフボールの側縁に位置する場合、転がる時に重力の影響を受け、該ゴルフボールの経路が影響を受け、所定の経路からずれ、練習者または選手にとって、毎一打が勝負の鍵であり、影響が大きい。
【課題を解決するための手段】
【０００６】
本考案者は、その使用上の経験によって、上記の問題を克服するため、および使用者は、球体をライナーに迅速に置き易くするため、使用者がゴルフボールを調整する便利性をよくするため、ゴルフボールライナーにクランプを結合し、断面が孤形を呈したクランプ本体を含み、該クランプ本体が軸孔、少なくとも１つの凸部と、弾性部材と、把手部と、ピン接合部と、押圧部とを含み、そのうち、該弾性部材は、ピン接合部中に設置され、上記の凸部を押し上げ、該クランプ本体に下圧を発生させ、ライナーに置いたゴルフボールを掴み、該ゴルフボールを定位する機能を達成、または弾性部材が下圧されたクランプ凸部を押し上げ、クランプ本体が上向きに開いた状態を維持する。
【０００７】
また、該把手部は、使用者がより容易に該クランプの位置を制御し、突出する凸部を増加し、その表面に滑り止め模様を設け、使用者が掴み易くする。
【考案の効果】
【０００８】
該クランプ結合がゴルフボールライナーに結合され、使用者が該クランプを持ち上げるだけで、該ゴルフボール球体を迅速に載置、取り出しでき、大幅に操作の複雑性を低減でき、また、従来技術より少量の材料を使用し、材料のために支出するコストを低減し、且つ、使用者が即時に球体の位置を調整し易くし、周線を固定作成し易くし、球体が勝手に回転せず、線分を描くことを中断しても、使用者は、依然として中段箇所をつなぐことができ、線分が不連続になる問題が発生せず、また、本考案は、ラッチを使用し該クランプと該球体ライナーを固定することなく、従って、多段操作ステップを持たず、クランプが円滑な制御が障害感を有することなく、反復使用によって緩くなる問題が発生することもなく、該弾性部材がピン接合部上の凸部を押すことによって、該クランプのもう一端を連動し下圧し、該ゴルフボールの球体を安定保持でき、ライナーの位置を調整する時、使用者が少し上に持ち上げるだけで、球体は、回転運動をすることができ、クランプ操作と球体定位を使用し、簡便な精度を極めることができる。
【０００９】
また、一般のゴルフボールの重心は、完全に中心点にあるのではないので、球体が重心を測量した後、該重心の位置を本考案のライナー中に対応して置き、重心周線を打球方向の導引線として描くことができ、ゴルフボールを精密に制御でき、重心がなす影響を下げることができる。また、本考案は、現在のゴルフボールに対する接線に照準し、線分の作成を行い、球体の接する箇所を該環体ラインメモリに照準し、使用者がその側辺に沿って、線分の作成を行い、該球体の接触において円周の導引線を形成し、ボールを打つ時、該球体の接触する箇所を導引線として利用し、打球を照準する方向線として用い、該球体が回転前進時、両側の重心の平衡が経路の偏移を起こすことがない。更に、クランプ本体上およびゴルフボールラインメモリ上における適切な位置に記号を設け、ゴルフボールの重心関連位置を該記号に対応させて置き、従って、ゴルフボール上に各対応関係の線分を描き易くする。
【００１０】
また、本考案のクランプとゴルフボールラインメモリは、球体を掴む時、そのクランプの前端とゴルフボール環体ラインメモリの間に、間隔を残し、使用者が環体に沿ってゴルフボール上に線を描く時、筆先が直接に、該隙間を用い、描線の動作を行うことができ、中段されることなく、一筆で直接周囲の線分を描くことができる。
【００１１】
また、本考案は、練習場で練習する使用者にとって、便利であり、照準を学習し、ゴルフボールとロッドとの接触面の方向を目視し、従って、ロッドとゴルフボールの接触角度の問題を除いた後、使用者が自分で検視することに便利であり、打球時にその他の問題がないかどうかを理解できるので、本考案は、補助教材として使用することができる。
【考案を実施するための最良の形態】
【００１２】
図１は、本考案の立体分解図であり、本考案は、ゴルフボールライナーとクランプに関し、該クランプは、ゴルフボールライナー２に結合し、クランプ本体１を含み、且つ前記クランプ本体の断面は、孤形を呈し、軸孔１０、少なくとも１つの凸部１１、把手部１２、押圧部１３、弾性部材１４およびピン接合部１５を含み、そのうち、該軸孔１０は、クランプ本体１の一端に設置され、該凸部１１は、クランプ本体１の一端に設けられ、該軸孔１０に隣接する。該把手部１２は、該クランプ本体１上に設けられ、軸孔１０の位置に対応するもう一端に位置する。該押圧部１３は、該本体の孤形により定義され、クランプ本体１の中央に位置し、また、該ピン接合部１５は、溝型本体１５１と、ピン接合軸１を含み、そのうち、該溝型本体１５１は、開口１５１１、基台１５１２および少なくとも１つの辺壁１５１３に囲われ、前記の基台１５１２と辺壁１５１３の組み合わせにより、空間Ｓを定義し、そのうち、該辺壁１５１３は、対称なピン接合孔１５１４を含み、該ピン接合軸１５２が本体上に設ける軸孔１０と該ピン接合孔１５１４によって、該本体１と該ピン接合部１５にヒンジを形成させ、また、該弾性部材１４が上記の空間Ｓの底部に設けられ、該基台１５１２に近隣し、且つ該弾性部材１４が、弾力により前記の凸部１１を持ち上げ、クランプした本体１が接合動作時、プレスを発生することに用いる。
【００１３】
図２に示すように、前記のピン接合部１５は、ゴルフボールライナー２に連接し、該クランプした本体１を該ゴルフボールライナー２に対応して回転させ、該凸部１１が該軸孔１０の外縁に設けられることによって、該クランプ本体１が該ゴルフボールライナー２に被さる時、該弾性部材１４は、凸部１１に左シフトし、該クランプ本体１に下圧のプレスを発生させ（本箇所の前記の方向は、図面に示す方向を基準とする）、ゴルフボールＧを掴み固定する。
【００１４】
また、該把手部１２は、使用者が該クランプ本体１の動作を操作し易くし、使用者が該クランプ本体１を開く時、該把手部１２を少し持ち上げるだけで迅速に該クランプ本体１を開くことができる。
【００１５】
また、クランプ本体１の断面孤形がピン接合する端部の一側断面は、比較的大きく設計し、この箇所に軸孔１０を開設し、クランプ本体１の載置可能な外力を増加し、更に、該クランプ本体１の一端部のもう一側面を比較的良好な円弧形１８とし、該クランプ本体１の一側面の円弧形１８がピン接合部にピン接合することに用いられる時、クランプ本体１の回転が比較的円滑である。
【００１６】
また、該クランプ本体１が該ゴルフボールライナー２に被せ合わさる時、該押圧部１３が内のゴルフボールＧを押圧し、該ゴルフボールＧが圧制され、該ゴルフボールライナー２に安定して押さえ付けられるようにする。また、該押圧部１３は、更に少なくとも１つの突出した係止部１３１と結合し、該クランプ本体１が下圧する時、該係止部１３１とゴルフボールＧの間の摩擦力が増加し、クランプ力を向上させる。
【００１７】
続いて、該把手部１２は、クランプ本体１と突出する凸部であり、該クランプ本体１の末端に設けられ、使用者が押すことに便利であり、且つ、前記の凸部上に更に、滑り止め模様１２１を設け、該滑り止め模様１２１によって使用者と接触する摩擦力を増加し、使用者が手袋を嵌めているかまたは手に汗をかいている時、依然として滞りなく操縦でき、使用の円滑度を増加させる。
【００１８】
また、該ゴルフボールライナー２内にゴルフボールＧを置いてない時、不当な操作または圧力によって、該クランプ本体１と該ゴルフボールライナー２を相互に衝突させて、損壊等が発生することを回避するため、該クランプ本体１近隣のピン接合孔１０の一側にラッチ１６を凸設し、該クランプ本体１が該ゴルフボールライナー２の一定の距離に接近する時、該ラッチ１６が、該ピン接合部１５の辺壁１５１３上端に係止し、該クランプ本体１と該ゴルフボールライナー２が相互に激突しないようにする。
【００１９】
図３、図４に示すように、該弾性部材１４は、バネまたは弾性体等であることができ、該クランプ本体１は、該ゴルフボールＧに被さる時、該弾性部材１４は、該凸部１１を押し、該クランプ本体１に下向きにプレスを発生させ、これによって、その内のゴルフボールＧをクランプし、そのうち、本実施例中、Ｕ型に近い弾性片を採用し、該弾性片を該空間Ｓの下方に位置させ、該基台１５１２に近隣させ、その凸部１１寄りの側は、高低差を連続して有する弧面を呈し、従って、使用者の操作に有利であり、該クランプ本体１は、開放包帯から閉鎖状態に移る時、該凸部１１は、該弾性片にそって滑動し、弾性片の低い箇所の弧面からの高い箇所の弧面まで滑り、該凸部１１が高低差を連続して有する弧面の最高点に位置する時、該弾性片は、該凸部１１を上向きに押し、該クランプ本体１に下向きの力量を発生させ、ゴルフボールのクランプの目的を達成する。反対に、クランプを上向きに開き、本体の一端部の凸部１１が弾性片１４によって弾性片表面の高低差を有する弧面の高い箇所から低い箇所に滑り、該凸部１１が弾性片１４に持ち上げられ、及び該本端の端部の一側面が溝型本体１５１の辺壁１５１３に押圧され、開放状態を形成する。
【００２０】
前記弾性部材１４は、弾性ゴム材質（図５、図６に示すように）を採用でき、該弾性ゴムが立体のゴム塊であり、その表面の一側は、高低差の連続を有する弧面であり、これによって、使用者の操作を有利にし、該クランプ本体１が開放状態から閉鎖状態に移る時、該凸部１１は、該弾性ゴム塊表面に沿って滑動し、ゴム塊の低い箇所の弧面から高い箇所の弧面に滑り、該凸部１１が高低差を連続して有する弧面の最高点に位置する時、該弾性ゴム塊は、上向きに該凸部１１を押し、該クランプ本体１に下向きの力を発生させる。反対に、クランプが上に開き、クランプ本体１の一端部の凸部１１が弾性ゴム塊１４によって弾性ゴム塊表面の高低差を有する弧面に沿って高い箇所から低い箇所に滑り、該凸部１１が弾性ゴム塊１４の持ち上げを受け、該クランプ本体の端部の一側面が溝型本体１５１の辺壁１５１３に押圧され、開放状態を形成する。
【００２１】
図７、図８、図９に示すように、本考案のもう１つの実施例は、ゴルフボールライナー２であり、クランプ本体１を含み、その断面が孤形を呈し、クランプ本体１の一端部に設けられる軸孔１０と、クランプ本体１の一端部に設けられ、該軸孔１０に隣接する少なくとも１つの凸部１１と、クランプ本体１のもう一端部に形成され、使用者に該クランプの操作をさせる把手部１２と、前記の孤形によって定義され、クランプ本体１中央に位置する押圧部１３と、弾性部材１４と、ピン接合部１５とを含む。ピン接合部１５は、溝型本体１５１と、ピン接合軸１５２を含み、該溝型本体１５１は、開口１５１１と、基台と、少なくとも１つの辺壁１５１３を含み、空間Ｓを定義し、該辺壁１５１３は、対称なピン接合孔１５１４を含み、そのうち、該ピン接合軸１５２が前記クランプ本体１の一端の軸孔１０に穿合することを利用し、該溝型本体１５１のピン接合孔１５１４中にヒンジ状態を形成し、弾性部材１４は、該溝型本体１５１１空間の底部に設けられる。環体ラインメモリ２０と、第１孤形ラインメモリ２１と、第２孤形ラインメモリ２２と、第３孤形ラインメモリ２３は、そのうち、該クランプのピン接合部１５が該ラインメモリ２０に接続し、ピン接合軸１５２（図１に示すように）によって、該溝型本体１５１に設けたピン接合孔１５１４に穿合し、本体１のピン接合孔１０は、該クランプ本体１とのヒンジを完成する。該第１孤形ラインメモリ２１は、該環体ラインメモリ２０の一側に設けられ、好ましくは、その設置位置は、環体ラインメモリ２−の直径より小さいものである。該第２孤形ラインメモリ２２の一側が上記第１孤形ラインメモリ２１の中央と穿合連接し、もう一端と該環体ラインメモリ２０の一側は接続し、且つ該第１孤形ラインメモリ２１と該第２孤形ラインメモリ２２は相互に垂直を呈し、また、該第３孤形ラインメモリ２３の一端は、該ラインメモリ２０の一側と連接し、もう一端と該第１孤形ラインメモリ２１中央箇所に連接し、該第３孤形ラインメモリ２３を該第１孤形ラインメモリ２１と相互に垂直にし、且つ該第３孤形ラインメモリ２３は、該第２孤形ラインメモリ２２と直線関係または平行関係を呈する。
【００２２】
上記の環体ラインメモリ２０、第２孤形ラインメモリ２１、第２孤形ラインメモリ２２および第３孤形ラインメモリ２３は、該環体ラインメモリ２０と収容空間２７を定義し、ゴルフボールを置くことができ、このように、使用者が描線の作業を行い易くし、一度に複数の周線を描くことができ、使用者の操作に便利であり、該第１孤形ラインメモリ２１が描く照準線は、視覚上球面の一側に偏向し、ロッドを操作する時、ロッド面と球体の照準線距離が比較的接近し、目測の精度に有利である。
【００２３】
前記のゴルフボールライナー２は、更に第４孤形ラインメモリ２４を結合し、該第４孤形ラインメモリ２４の両端部は、該環体ラインメモリ２０両側に結合し、中央と該第２孤形ラインメモリ２２が垂直に結合し、該第４ラインメモリ２４の周囲は、該環体ラインメモリ２０と相互に等しく、従って、置かれたゴルフボールの安定性を増加し、またラインメモリの用途となる。
【００２４】
また、前記の環体ラインメモリ２０と該ピン接合部１５の結合は、一体に成型され（図１０参照）、製造し易いという利点を有し、または、嵌合（図１参照）、溶接、粘着接合等の技術の任意に1種であることができる。
【００２５】
図１１に示すように、該環体ラインメモリ２０は、使用者に該ゴルフボールＧの表面に一本の360度の地平線７を書かせることができ、打球者が打球時、地平線と草地面が相互の平行を保持しているか否かを迅速に利用し、ゴルフボールを打球する方向導引線の精度を度量及び調整し、同一の方式で、使用者は、ゴルフボールの接線に沿って３６０度の周線を描き、打球方向導引線とし、打球者が該球体の重心平衡をより精確に制御できるようにし、失敗を低減させる。
【００２６】
図１２、図１３に示すように、各ゴルフボールＧの重心は、いずれも同一の位置にあることはできず、幾つかは、中心に位置し、幾つかは、中心から離れた位置になり、不明瞭な状況で線分を描けば、描線後の効果が発揮できないので、先ず、ゴルフボールをゴルフボールよりも密度の高い液体、例えば塩水等の中に置き、重力の影響によって、球体の重心が下方に回転するので、使用者は、該液面に浮き出たゴルフボール面上に重心が対応する一面の記号ＧＬを描くだけで、該記号によりその重心位置を探すことができ、その球体に対応する周線を描き、例えば、該ゴルフボールＧをゴルフボールライナー２の収容空間２７内に置き、指先を利用してライナー上の各鏤空箇所を介して該ゴルフボールを回転させ、最適な位置を調整し、クランプで球体を固定する。更に、図１３に示すように、探し出した重心が対応する一面の記号ＧＬをクランプ本体１上に設置された記号１７および環体ラインメモリ２０上の記号２５に合わせ、少なくとも1点の記号ＧＬ１を描き、更にゴルフボールライナーのもう一面に返し、ゴルフボールＧのもう一面に、第２孤形ラインメモリ２２の溝２２１と第３孤形ラインメモリ２３の溝２３１を利用し、球体のもう一側１８０度の周線の作成を行い（図１２参照）、クランプを開き該ゴルフボール球面を回転させ、上記の記号ＧＬとＧＬ１少なくとも２点を第２孤形ラインメモリ２２の溝２２１と第３ラインメモリ２３の溝２３１に照準しクランプを被せ、もう一面の１８０度の重心環状周線を描くことができる。従って、該球体Ｇの重心が既に３６０度の方向導引線５として標示され、これにより、打球者が該重心導引線５を利用し、ゴルフボールが地面に打ち出され転がる照準の安定性およびホールインする精度を向上させる。
【００２７】
図８に示すように、該第２孤形ラインメモリ２１は、第１溝２１１を含み、該第２固形ラインメモリ２２は、更に第２溝２２１を含み、該第３孤形ラインメモリ２３は、第３溝２３１を含み、上記の各溝によって、筆先Ｗは、球体の表面に直接接触することによって、使用者が描線を行い易くし、描線時、いかなるずれも発生することがない。更に、該第２溝２２１が描く線分と第３溝２３１が描く線分が直線関係を呈することによって、使用者は、描かれた線分に基づき測量を行うことができる。また、各溝は、細長い形状を呈し、且つ該第１溝２１１は、該第２溝２２１と連通し線分を連接する。また、該第２孤形ラインメモリ２２上に２つの相対する切り口２２２を設け、且つ前記の切り口２２２は、該第４孤形ラインメモリ２４と交接する箇所に位置し、第４孤形ラインメモリ２４に沿って描く２本の線分との間の距離が近づくことによって、目視時、線分の位置の照合を行い易くする。
【００２８】
図１４に示すように、本ゴルフボールライナーの使用方式は、該ゴルフボールＧの位置を調整した後、筆記具を第１孤形ラインメモリ２１内の第１溝２１１に沿って走らせるだけで、自覚上球面の一側によったロッドヘッド面照準線４を書くことができ、打球時に照準線４とロッドヘッド面とより平行に近づけ、ロッドのロッドヘッドの打球面と照準線４が相互に平行を保持しているか否かを容易に目測でき、ロッドの打球面が精確な接触角度でボールを打球できるようにする。筆先を第２孤形ラインメモリ２２と第３孤形ラインメモリ２３の溝２２１，２３１に沿って走らせるとき、方向導引線５を描き、ホールの方向を照準し、打球者がボールを打つ時、明確に球体が転がる方向が正確であるか偏っているかを見ることができる。そのうち、クランプ本体１が該環体ラインメモリ２０と完全に接合していないことによって、一定の高さを保有し、図２に示すようであり、使用者が該環体ラインメモリ２０に沿って描線する時、その筆の前端は依然として円滑に通過でき、完全な環状に近い線を完成することができる。
【００２９】
更に、第４ラインメモリ２４を利用し、該ゴルフボールＧ上に弧線６を描き、該弧線６と前記の導引線５は、十字線の交錯６５であり、該交錯点が導引線５の中心点であることによって、該交錯点の位置がまっすぐに上向きであるか否かは、ゴルフボールＧを草地上に置き、各描線記号が平衡であるかどうかを判断することができる。該弧線６は、もう１つの照準線となることもでき、その機能は、前記の照準線４に類似するので、ここでは、詳細を記載しない。
【００３０】
図１５は、本考案のゴルフボールの球体描線の完成説明図である。図に示すように、打球者は、ゴルフボールライナーを利用して、球体表面に複数の軸線を描いた後、球体をグリーンの草地上に置き、この時、打球者は、球体表面に描かれた地平線７が地面と平行であるか否かを通して、地平線７と草地面が平行である時、球体の方向導引線５が既に比較的正確であると判断され、打球者がロッドのロッドヘッドを球体の一側に照準する時、ロッドヘッドの打球面が照準線４と平行状態を呈しているかどうかを見て、平行状態を呈している時、打球者は、導引線５が照準し球体をグリーン上のホール中へとシフトすることができ、球体がホールへ向かう経路において、打球者は、方向導引線５から球体が転がる経路にずれがあるかどうかを見ることができる。従って、球体表面上に作製された照準線４、方向導引線５と地平線７によって、ゴルフボール位置及びロッドを押し出す角度を目視測量および調節することができる。
【００３１】
本考案は、使用者にゴルフボールライナーを迅速にセットし、完成された線を作成でき、細かさが必要なパッドまたは初心者にとって、いずれも補助となる利器である。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００３２】
【図１】本考案の実施例の立体分解図である。
【図２】本考案の実施例の動作説明局部分解図である。
【図３】本考案の実施例の動作説明局部分解図である。
【図４】本考案の動作側面及びクランプピン接合部断面説明図である。
【図５】本考案のもう１つの実施例の動作説明局部分解図である。
【図６】本考案のもう１つの実施例の動作説明局部分解図である。
【図７】本考案の実施例のゴルフボールライナーの立体図である。
【図８】本考案の実施例のゴルフボールライナーの俯瞰図である。
【図９】本考案の実施例の部材分解図である。
【図１０】本考案の実施例のゴルフボールライナーの側面図である。
【図１１】本考案の実施例のゴルフボールライナーの３６０度地平線を書いた説明図である。
【図１２】本考案の実施例のゴルフボールライナーの線を描く説明図である。
【図１３】本考案の実施例のゴルフボールを挟んだ俯瞰図である。
【図１４】本考案の実施例のゴルフボールライナーの線を描く説明図である。
【図１５】本考案のゴルフボールのボールライナーの完成俯瞰説明図である。
【符号の説明】
【００３３】
Ｇ  ゴルフボール
ＧＬ，ＧＬ１  記号
Ｓ  空間
Ｗ  筆先
１  クランプ本体
１０  軸孔
１１  凸部
１２  把手部
１２１  滑り止め模様
１３  押圧部
１３１  係止部
１４  弾性部材
１５  ピン接合部
１５１  溝型本体
１５１１  開口
１５１２  基台
１５１３  辺壁
１５１４  ピン接合孔
１５２  ピン接合軸
１６  ラッチ
１７  記号
１８  円弧形
２  ゴルフボールライナー
２０  環体ラインメモリ
２１  第１弧形ラインメモリ
２１１  第１溝
２２  第２弧形ラインメモリ
２２１  第２溝
２２２  切り口
２３  第３孤形ラインメモリ
２３１  第３溝
２４  第４孤形ラインメモリ
２５  記号
２７  収容空間
４  照準線
５  方向導引線
６  弧線
６５  十字線の交錯
７  地平線
【図１】
0003140519.tif 000003
【図２】
0003140519.tif 000004
【図３】
0003140519.tif 000005
【図４】
0003140519.tif 000006
【図５】
0003140519.tif 000007
【図６】
0003140519.tif 000008
【図７】
0003140519.tif 000009
【図８】
0003140519.tif 000010
【図９】
0003140519.tif 000011
【図１０】
0003140519.tif 000012
【図１１】
0003140519.tif 000013
【図１２】
0003140519.tif 000014
【図１３】
0003140519.tif 000015
【図１４】
0003140519.tif 000016
【図１５】
0003140519.tif 000017